(57)【要約】【課題】従来は、壁掛け式のパネル型表示装置のＡＶ端子へＡＶケーブルを挿入する場合は、ＡＶ端子の機能確認を行い、かつＡＶケーブルを接続するのは非常に困難であり、薄型のパネル型表示装置の使い勝手を悪くするという課題があった。【解決手段】本発明では、ＡＶ端子群を着脱式のＡＶ端子ボックスとすることでＡＶケーブル接続時に、ＡＶ端子ボックスをはずすことで容易にまた確実に機能に応じたＡＶケーブルをＡＶ端子に接続することができる。また、合わせて、電気的接続の検出手段を有することで、電気的にも内蔵される半導体の安全性を確保した上で容易にＡＶケーブルの接続ができる。【選択図】　図５
2004015277.tif 000002
【特許請求の範囲】
【請求項１】
画面を表示するパネル表示部と、前記パネル表示部に着脱可能なＡＶ端子ボックスを有することで壁掛け設置時、壁寄せ設置時、あるいは、容易に動かせないような設置時においても容易にＡＶ端子にＡＶケーブルの挿抜が出来るようにしたことを特徴とするパネル表示装置。
【請求項２】
画面を表示するパネル表示部と、前記パネル表示部に着脱可能なＡＶ端子ボックスとを備え、前記着脱可能なＡＶ端子ボックスが電気的に正しく前記パネル表示部に着装されているかを確認するための手段を有することを特徴とする表示装置。
【請求項３】
着脱可能なＡＶ端子ボックスの電気的な着装状態をＯＳＤ（オン・スクリーン・ディスプレイ）手段を用いディスプレイ上に表示することを特徴とする請求項２記載の表示装置。
【請求項４】
着脱可能なＡＶ端子ボックスの電気的接続を検出し、接続検出した場合にＡＶ端子ボックスに通電するようにした事を特徴とする請求項２記載の表示装置。
【請求項５】
画面を表示するパネル表示部と、前記パネル表示部に着脱可能なＡＶ端子ボックスと、前記パネル表示部と前記着脱可能なＡＶ端子ボックスとの電気接続を検出するロック手段とを備え、前記ロック手段は前記着脱可能なＡＶ端子ボックスが取り外されたことを検出すると前記着脱式ＡＶ端子ボックスへの電源供給を停止することとを特徴とする表示装置。
【発明の詳細な説明】
【０００１】
【発明の属する技術分野】
本発明は、ＰＤＰ（プラズマ・ディスプレイ・パネル）、ＬＣＤ（リキッド・クリスタル・ディスプレイ＝液晶表示装置）、有機ＥＬ（エレクトロ・ルミネッセンス）表示装置など壁掛け対応可能なあるいは壁寄せ設置が可能なパネル型表示装置に関するものである。
【０００２】
【従来の技術】
従来、電気製品で壁掛けを前提に作られたものの代表的なものは、エアコン（エアーコンディショナー）が上げられる。エアコンは、壁掛け設置後、配管類は室外に出され、ＡＣコードのみ付近のＡＣコンセントに接続され、リモコンを用いて操作される。
【０００３】
一方、ＰＤＰ、ＬＣＤ、有機ＥＬ表示装置等のパネル型表示装置は、壁掛けあるいは壁寄せの設置が前提となっている商品が出てきている。これらは、ディスプレイの薄型を訴求し、壁掛けあるいは、壁寄せによって空間利用の効率化をセールスポイントとしている。しかしＡＶ（オーディオ・ビデオ）機器としての使い勝手の良さまでを訴求したものではなかった。
【０００４】
【発明が解決しようとする課題】
これらパネル型表示装置はディスプレイ型にせよＴＶ用チューナを内蔵したテレビ型にせよ、なんらかの形態で他のＡＶ機器との接続が前提となるものである。
【０００５】
図８は、ＰＤＰをテレビジョン受像機として用いた場合（以下、ＰＤＰテレビと記す）の一実施例を正面視した正面図である。下部の線２本はＡＶケーブルである。また斜線のハッチング部は、スピーカ部である。同様に図９は図８のＰＤＰテレビを後面視した背面図である。ＡＶケーブルは、後面の張り出した部分に設けられているＡＶ端子に接続される。
【０００６】
また、図１０は図８のＰＤＰテレビを上面視した上面図であり、同様に図１１は、図８のＰＤＰテレビを下面視した下面図である。この様にこのＰＤＰテレビは壁掛けを意識した設計思想であり、従来のＣＲＴのテレビジョン受像機の様にディスプレイ部に対して後面より垂直にＡＶケーブルを接続する手法はとれない。もし背面に垂直にＡＶケーブルを接続するような場合は、ＰＤＰテレビの背面はぴったりと壁に取りつけるような壁掛け方式が不可能で、取付け金具等で壁面よりパネル型表示装置を浮かしたような設置になる。この方式では壁掛け式とは言いがたく、見た目も美しいものではない。
【０００７】
図８から図１１では、下側向きのＡＶ端子に対して下側から上面にＡＶケーブルを接続する方法を示したが、張り出し部の側面にＡＶ端子を設け、側面より水平方向にＡＶケーブルを接続する方法をとっても同様である。
【０００８】
以上より、当初ビデオデッキ（ＶＣＲ）だけをＡＶケーブルにて接続し、壁掛け設置した場合、次にＤＶＤプレーヤ等別のＡＶ機器とパネル型表示装置にＡＶケーブルを接続しようとした場合、背面に設定されているＡＶ端子にＡＶケーブルを接続するのは、非常に困難であり、ＡＶケーブルの接続を間違ったりする可能性もありその都度、壁掛け状態からはずす必要があるという課題があった。
【０００９】
また、４２Ｖ（４２インチ・ビジブル）型、５０Ｖ（５０インチ・ビジブル）型等のディスプレイ面積の大きいＰＤＰの様なパネル型表示装置では、壁掛け状態をいちいちはずす必要もあり、非常に使い勝手の悪いものになると言う課題があった。
【００１０】
本発明は、これらの課題を解決するものである。
【００１１】
【課題を解決するための手段】
パネル型表示装置は、薄型であるがゆえに一度設置すると背面あるいは後面に設けられているＡＶ端子に対し挿抜が難しく、特に各機能端子へ壁掛け設置後新たにＡＶケーブルを挿入することはほとんど困難である。
【００１２】
そこで本願発明の表示装置は、ＡＶ端子への正しいＡＶケーブル挿入を行った上で、一気に本体との接続が可能なＡＶ端子群と機器内部接続コネクタからなる着脱式ＡＶ端子ボックス手段、着脱式ＡＶ端子ボックスを正しく本体へ挿入するための補助手段であるガイドレール、着装した着脱式ＡＶ端子ボックスが容易に脱落しないために、着脱式ＡＶ端子ボックスとＰＤＰテレビ本体内部接続端子以外に着脱式ＡＶ端子ボックスを本体にロック固定するためのロック手段、着脱式ＡＶ端子ボックスと本体の電気的接続を確認するための手段、電気的接続状態をディスプレイ上に表示するための手段、着脱式ＡＶ端子ボックスの接続状況に応じて着脱式ＡＶ端子ボックスへの電源供給制御を行う手段を備えるものである。
【００１３】
【発明の実施の形態】
本発明の一実施例を各実施の形態で説明する。
【００１４】
（実施の形態１）
図１は、本発明の第１の実施の形態を示すものである。図１において１はＰＤＰのパネル表示部を備えるＰＤＰテレビ、２は着脱式ＡＶ端子ボックス、３は着脱式ＡＶ端子ボックスに含まれるＡＶ端子群である。
【００１５】
図８〜図１１に示した従来例のＰＤＰテレビでは、おおよその厚みが１００
ｍｍ程度である。図８に示したような状態でＰＤＰテレビが壁かけ状態になると（壁寄せ状態でも同様である）、図１１に示すようにわずかの隙間を介してＡＶケーブルをＡＶ端子に接続しなければならないが、本発明では図２に示すように壁掛け固定したＰＤＰテレビから着脱式ＡＶ端子ボックスのみはずし、ＡＶ端子機能を確認した上で正しくわかりやすくＡＶケーブルをＡＶ端子群３に接続することができる。
【００１６】
また、着脱式ＡＶ端子ボックス２は、ＡＶケーブルに比べて十分に大きく容易にＰＤＰテレビ１に着装することができる。
【００１７】
（実施の形態２）
図３に本発明の第２の実施の形態例を示す。図３の符号４は着脱式ＡＶ端子ボックス２を容易にＰＤＰテレビの本体１に着装するためのガイドレールである。（実施の形態１）の表示装置の状態をより容易に安全にし、着脱式ＡＶ端子ボックス３の着装時にＰＤＰテレビ１のコネクタと着脱式ＡＶ端子ボックス２のコネクタが不用意に不正規に接触し端子面を傷つけるリスクを軽減するものである。
【００１８】
（実施の形態３）
図４に本発明の第３の実施の形態例を示す。図４の符号５は、着脱式ＡＶ端子ボックス２をより確実にＰＤＰテレビ１（パネル表示部）に保持するためのロック手段である。具体的には、着脱式ＡＶ端子ボックス２を確実に保持するための部材をＰＤＰテレビ１に備えるものでもよく、また両者に係合部材を備えることで着脱式ＡＶ端子ボックス２が外れるのを防ぐ構成としてもよい。
【００１９】
着脱式ＡＶ端子ボックス２の自重あるいは、ＡＶケーブルの重さ（いわゆる高級タイプのＡＶケーブルほど重くなる傾向がある）で容易に着脱式ＡＶ端子ボックス２が、本体のＰＤＰテレビ１よりはずれることを改善するものである。（パネル表示部）
（実施の形態４）
図５に本発明の第４の実施の形態例を示す。機構的、物理的に着脱式ＡＶ端子ボックス２が本体のＰＤＰテレビ１とつながっていても、電気的にも完全に接続しているかどうかを検出するため、図４に示した（実施の形態４）では、６の着脱式ＡＶ端子ボックス２内に構成されるコネクタ、７のＡＶ信号を切り替えるためのＡＶスイッチ（以下、ＡＶ−ＳＷと記す）、また、８はＰＤＰテレビ１側のコネクタ、９はＰＤＰテレビ１内に配置される電気的な接続状況を検出するための制御部、１０は同じくＰＤＰテレビ１内に配置される制御部９のポートに接続してなる任意電圧でプルアップされたプルアップ抵抗を有する。
【００２０】
コネクタ６とコネクタ８が正しく接続されているか否かを検出するために、これらコネクタ６とコネクタ８はプルアップラインとＧＮＤラインの２系統の信号ラインを有している。
【００２１】
この場合、コネクタ６とコネクタ８が接続されていなければ制御部９の接続検出用ポートはプルアップ抵抗１０によってプルアップされており、Ｈ（ハイ）の状態で制御部９は未接続を検出する。
【００２２】
一方、両コネクタが接続されていれば制御部９の接続検出用ポートはプルアップ抵抗１０によってプルアップされているが、プルアップ抵抗１０がコネクタ６側でＧＮＤに落とされるため、制御部９の接続検出ポートは、Ｌ（ロー）となりコネクタ６とコネクタ８が正しく接続されていることが検出される。
【００２３】
（実施の形態５）
図５と図６を用いて本発明の第５の実施の形態例を示す。
【００２４】
図５において符号１１は着脱式ＡＶ端子ボックス２内のＡＶ−ＳＷ７で切り替えられたＡＶ信号が、コネクタ６およびコネクタ８を介して入力されパネル表示に応じた信号形態に変換処理される映像処理部である。また１２はパネル型表示装置の具体的な表示を行うＰＤＰ表示部である。
【００２５】
このような構成において、制御部９は正しく接続されていないことを検出すると、内部に有するＯＳＤ（オン・スクリ−ン・ディスプレイ）機能を用いて映像処理部１１にＲＧＢ信号を送出し、ＰＤＰ表示部１２は、図６で示すような警告メッセージを表示する。
【００２６】
以上のように、着脱式ＡＶ端子ボックス２がＰＤＰテレビ１に電気的に正しく接続されていない場合、ＯＳＤ（オン・スクリ−ン・ディスプレイ）機能により注意を促すメッセージがＰＤＰテレビ１のＰＤＰ表示部１２に表示されるため、使用者はＰＤＰテレビ１の不具合の原因をすぐに特定できる。
【００２７】
（実施の形態６）
図５に本発明の第６の実施の形態例を示す。
【００２８】
図５において符号１３は独立した着脱式ＡＶ端子ボックス２のための電源供給部である。着脱式ＡＶ端子ボックス２の着脱は、通常電源オフ時を原則とする。これは取扱説明書等に記載し、利用者に警告した場合でも、通電中に着脱される場合も想定した対策を考慮するのはより有用である。制御部９は、任意周期で接続検出用ポートのステータスを読みに行く。
【００２９】
制御部９が接続検出用ポートを用いて、着脱式ＡＶ端子ボックス２とＰＤＰテレビ１との本体電気的な接続を検出した場合に、本発明の装置は以下の手順で作業を行う。
【００３０】
まず第１のステップとして接続検出を行う（ステップ１）。次に、着脱式ＡＶ端子ボックス２とＰＤＰテレビ１の本体とが正しく接続されている場合、電源供給部１３をオンしてコネクタ８およびコネクタ６を経由してＡＶ−ＳＷ７等に電源供給を行う（ステップ２）。尚、既に電源供給されている場合は、その状態を保持する。
【００３１】
一方、着脱式ＡＶ端子ボックス２とＰＤＰテレビ１の本体とが正しく接続されていない場合、制御部９は電源供給部１３に対し電源供給をオフする。
【００３２】
次に接続検出用ポートにおいて未接続、接続が確認されたとき、制御部９は任意回接続上を確認した後に電源供給部１３をオンにする。また接続検出用ポートで、接続、未接続が確認されたとき、この場合は、任意時間後ではなく直ちに電源供給部１３をオフする（ステップ３）。
【００３３】
以上のように、着脱式ＡＶ端子ボックス２とＰＤＰテレビ１の接続状態を自動的に検知することで、本体に正しく接続されていない場合にも電気的な障害を防ぐことを可能とするものである。
【００３４】
（実施の形態７）
図７に実施の形態７を示す。図７において符号１４は図４のロック手段に電気的なＳＷを付加した第２のロック手段である。符号１５は、制御部９の第２の接続検出ポート３０に接続される任意の電圧でプルアップされた第２のプルアップ抵抗である。
【００３５】
着脱式ＡＶ端子ボックス２の着脱は、通常、電源オフ時を原則とする。これは取扱説明書等に記載し、利用者に警告した場合でも、通電中に着脱される場合も想定した対策を考慮するのはより有用である。
【００３６】
制御部９は、任意周期で複数の接続検出用ポートのステータスを読みに行く。制御部９が、第２の接続検出用ポート３０を用いて電気的な接続を検出した場合に以下の手順で動作を行う。
【００３７】
まず着脱式ＡＶ端子ボックス２とＰＤＰテレビ１との接続検出を行う（ステップ１）。両者が接続されている場合、電源供給部１３をオンしてコネクタ８、コネクタ６経由でＡＶ−ＳＷ７等に電源供給を行う（ステップ２）。また既に電源供給されている場合は、その状態を保持する。一方、両者が接続されていない場合、制御部９は電源供給部１３に対し電源供給をオフする。
【００３８】
次に第２の接続検出用ポート３０で未接続、接続が確認されたとき、制御部９は任意回接続上を確認した後に電源供給部１３をオンにする（ステップ３）。
第２の接続検出用ポート３０で、接続から未接続への状態変化が確認された時任意時間後ではなく直ちに電源供給部１３をオフする。特に接続から未接続への電源供給オフ対応のシーケンスは、第１の接続検出ポートより第２の接続検出ポートの方が手動でロックをはずすことを考慮した場合より早く検出ができる。
【００３９】
【発明の効果】
以上に示したように本発明によれば、着脱式ＡＶ端子ボックスを用いることでパネル型表示装置のＡＶケーブルの抜抜を格段に容易に行えるという極めて優れた効果を得ることが出来る。
【００４０】
また、電気的な接続を十分に配慮した構成にしたことで、着脱式ＡＶ端子ボックスであって、本体通電したままでも、挿抜できる、いわゆる活性挿抜の様な使用も提供できるという極めて優れた効果も得ることができる。
【図面の簡単な説明】
【図１】本発明の実施の形態１における表示装置の背面を示す背面図
【図２】同表示装置の使用状態を示す正面図
【図３】本発明の実施の形態２における表示装置の背面を示す背面図
【図４】本発明の実施の形態３における表示装置の背面を示す背面図
【図５】本発明の実施の形態４、実施の形態５および実施の形態６における表示装置のブロックダイアグラムを示す構成図
【図６】実施の形態５における表示装置において警告画面の表示例を示す正面図
【図７】実施の形態７における表示装置のブロックダイアグラムを示す図
【図８】従来例のＰＤＰテレビの正面図
【図９】同ＰＤＰテレビの後面図
【図１０】同ＰＤＰテレビの上面図
【図１１】同ＰＤＰテレビの下面図
【符号の説明】
１　ＰＤＰテレビ
２　着脱式ＡＶ端子ボックス
３　ＡＶ端子群
４　ガイドレール
５　第１のロック手段
６　コネクタ
７　ＡＶ−ＳＷ
８　コネクタ
９　制御部
１０　第１のプルアップ抵抗
１１　映像処理部
１２　ＰＤＰ表示部
１３　電源供給部
１４　第２のロック手段
１５　第２のプルアップ手段
【図１】
2004015277.tif 000003
【図２】
2004015277.tif 000004
【図３】
2004015277.tif 000005
【図４】
2004015277.tif 000006
【図５】
2004015277.tif 000007
【図６】
2004015277.tif 000008
【図７】
2004015277.tif 000009
【図８】
2004015277.tif 000010
【図９】
2004015277.tif 000011
【図１０】
2004015277.tif 000012
【図１１】
2004015277.tif 000013